(57)【要約】  所定の順番が信号順として付与された複数の変調データ信号を、互いに周波数の異なる複数のサブキャリアに対して、前記各サブキャリアの周波数の大きさ順である第１の順に割り当てることによって第１マルチキャリア変調信号を生成する第１信号生成部と、前記複数の変調データ信号を前記第１の順とは逆の順である第２の順に前記各サブキャリアに割り当てることによって第２マルチキャリア変調信号を生成する第２信号生成部と、前記第１マルチキャリア変調信号及び前記第２マルチキャリア変調信号を送信する送信部と、前記第１マルチキャリア変調信号及び前記第２マルチキャリア変調信号を受信して、前記第１のマルチキャリア変調信号に含まれる各変調データ信号と、前記第２マルチキャリア変調信号に含まれる各変調データ信号との間で、前記信号順が等しい変調データ信号同士の平均を表す平均信号を取得する受信部とを備える送受信機。
2011102119.tif 000002
【特許請求の範囲】
【請求項１】
所定の変調方式で変調され、所定の順番が信号順として付与された複数の変調データ信号を、互いに周波数の異なる複数のサブキャリアに対して、前記各サブキャリアの周波数の大きさ順である第１の順に割り当てることによって第１マルチキャリア変調信号を生成する第１信号生成部と、
前記複数の変調データ信号を前記第１の順とは逆の順である第２の順に前記各サブキャリアに割り当てることによって第２マルチキャリア変調信号を生成する第２信号生成部と、
前記第１マルチキャリア変調信号及び前記第２マルチキャリア変調信号を送信する送信部と、
前記第１マルチキャリア変調信号及び前記第２マルチキャリア変調信号を受信して、前記第１のマルチキャリア変調信号に含まれる各変調データ信号と、前記第２マルチキャリア変調信号に含まれる各変調データ信号との間で、前記信号順における順番が等しい変調データ信号同士の平均を表す平均信号を取得する受信部と、
を備える送受信機。
【請求項２】
前記受信部は、
前記送信部から前記第１マルチキャリア変調信号及び前記第２マルチキャリア変調信号が送信されたときに、前記第１マルチキャリア変調信号から、前記第１の順に前記各変調データ信号を取得することにより、前記信号順にされた前記各変調データ信号を取得する第１信号取得部と、
前記送信部から前記第１マルチキャリア変調信号及び前記第２マルチキャリア変調信号が送信されたときに、前記第２マルチキャリア変調信号から、前記第２の順に前記各変調データ信号を取得することにより、前記信号順にされた前記各変調データ信号を取得する第２信号取得部と、
前記第１信号取得部により取得された各変調データ信号と、前記第２信号取得部により取得された各変調データ信号とについて、前記信号順における順番が等しい変調データ信号同士を平均することにより、前記各変調データ信号についての平均信号を取得する平均信号取得部と、
を備える請求項１に記載の送受信機。
【請求項３】
前記各変調データ信号を順次受け付け、受け付けた前記各変調データ信号を前記第１の順に前記各サブキャリアに割り当てるＯＦＤＭ変調器と、
前記第１マルチキャリア変調信号又は前記第２マルチキャリア変調信号の入力を受け付けて、受け付けたマルチキャリア変調信号から、前記第１の順に前記各変調データ信号を取得するＯＦＤＭ復調器とをさらに備え、
前記第１信号生成部は、
前記各変調データ信号を前記信号順に前記ＯＦＤＭ変調器へ出力することによって、前記ＯＦＤＭ変調器により前記第１マルチキャリア変調信号を生成させ、
前記第２信号生成部は、
前記各変調データ信号を前記信号順と逆の順に前記ＯＦＤＭ変調器へ出力することによって、前記ＯＦＤＭ変調器により前記第２マルチキャリア変調信号を生成させ、
前記第１信号取得部は、
前記ＯＦＤＭ復調器によって前記第１マルチキャリア変調信号の入力が受け付けられたとき、前記ＯＦＤＭ復調器によって取得された前記各変調データ信号を前記信号順にされた各変調データ信号として取得し、
前記第２信号取得部は、
前記ＯＦＤＭ復調器によって前記第２マルチキャリア変調信号の入力が受け付けられたとき、前記ＯＦＤＭ復調器によって取得された前記各変調データ信号の順序を逆転させて、前記信号順にされた各変調データ信号として取得する請求項２に記載の送受信機。
【請求項４】
前記送信部は、
前記第１マルチキャリア変調信号と前記第２マルチキャリア変調信号とを交互に含む信号を送信する請求項１乃至請求項３のいずれか一項に記載の送受信機。
【請求項５】
前記第１信号生成部及び前記第２信号生成部の前段に設けられ、前記各変調データ信号に、複数桁の拡散符号を乗算する拡散処理を施すことによって前記各変調データ信号が拡散変調された信号である複数の拡散変調データ信号を生成し、前記第１信号生成部及び前記第２信号生成部によって、前記各拡散変調データ信号を前記各変調データ信号の代わりに用いさせることによって、前記第１マルチキャリア変調信号及び前記第２マルチキャリア変調信号を生成させる拡散処理部をさらに備える請求項１乃至請求項４のいずれか一項に記載の送受信機。
【請求項６】
前記受信部により取得された平均信号に、前記拡散符号を除する逆拡散処理を施して、前記平均信号から、信号レベルが平均化された各変調データ信号を取得する逆拡散処理部をさらに備える請求項５に記載の送受信機。
【発明の詳細な説明】
【技術分野】
【０００１】
本発明は、データを所定の搬送波で変調して伝送するとともに、変調後のデータを復調してデータを取得する送受信機に関するものである。
【背景技術】
【０００２】
従来から、データを予め定められた変調方式で変調して、所定の搬送波に割りあてられたデータを伝送するとともに、変調後のデータを受け付けて復調することにより変調後のデータから変調前のデータを取得する送受信機が存在する。【０００３】
この送受信機が有線伝送路を通じて送信元の送受信機と接続されることにより送受信システムが構成されている場合、システム全体のトポロジによっては周波数選択性フェージングにより、特定の周波数の搬送波に割りあてられたデータが有線伝送路を通じて伝送されている途中でその搬送波のＳＮ比が小さくなることがある。そのため、その搬送波に割りあてられたデータが相手方で受信されにくい場合がある。【０００４】
そのため、従来から、送受信機相互間で特別な通信シーケンスを実行し、送受信機から送信元の送受信機に対して専用パケットを送信し、送信元の送受信機における伝送路状態の評価結果に応じて、送受信機の通信パラメータ（例えば、搬送波の周波数）を変更する技術が用いられている（特許文献１参照）。【０００５】
しかしながら、専用パケットを送信元の送受信機に送信し、送信元の送受信機における伝送路状態の評価結果に応じて、送受信機の通信パラメータを変更する方法を採るためには、専用パケットを生成して出力する専用の回路、伝送路状態の評価を行う専用の回路などが必要となり、コストが嵩む。【０００６】
また、専用パケットを送信し、送信元の送受信機に対して伝送路状態の評価をさせ、その評価結果に応じて通信パラメータを変更するための専用の通信シーケンスを実行すると、変調後のデータを伝送する効率が劣化する。
【先行技術文献】
【特許文献】
【０００７】
【特許文献１】特開２００４−３４３５５１号公報
【発明の概要】
【０００８】
本発明の目的は、特定の周波数の搬送波においてＳＮ比が小さくなっても、変調後のデータを伝送する本来の機能を阻害することなく、高品質なデータ伝送を実現することが容易な送受信機を提供することである。
【０００９】
本発明の一局面に従う送受信機は、所定の変調方式で変調され、所定の順番が信号順として付与された複数の変調データ信号を、互いに周波数の異なる複数のサブキャリアに対して、前記各サブキャリアの周波数の大きさ順である第１の順に割り当てることによって第１マルチキャリア変調信号を生成する第１信号生成部と、前記複数の変調データ信号を前記第１の順とは逆の順である第２の順に前記各サブキャリアに割り当てることによって第２マルチキャリア変調信号を生成する第２信号生成部と、前記第１マルチキャリア変調信号及び前記第２マルチキャリア変調信号を送信する送信部と、前記第１マルチキャリア変調信号及び前記第２マルチキャリア変調信号を受信して、前記第１のマルチキャリア変調信号に含まれる各変調データ信号と、前記第２マルチキャリア変調信号に含まれる各変調データ信号との間で、前記信号順における順番が等しい変調データ信号同士の平均を表す平均信号を取得する受信部とを備える。
【図面の簡単な説明】
【００１０】
【図１】本発明に従う第１実施形態に係る送受信機を用いて構築された送受信システムの一例を模式的に示した図である。
【図２】第１実施形態に係る送受信機の機能モジュールの一例を示したブロック図である。
【図３】フレーミング回路により生成される信号のフレーム構成の一例を示した図である。
【図４】各変調データ信号が割りあてられるサブキャリアの周波数と、各サブキャリアの特性との関係の一例を示した図である。
【図５】送受信機から各変調データ信号を送信する際にノッチ帯域が生じたときにおける効果を説明するための図である。
【図６】本発明に従う第２実施形態に係る送受信機の機能モジュールの一例を示したブロック図である。
【図７】第２の実施形態に係る送受信機の基本処理を説明するための図である。
【発明を実施するための形態】
【００１１】
以下、本発明に係る実施形態を図面に基づいて説明する。なお、各図において同一の符合を付した構成は、同一の構成であることを示し、その説明を省略する。
【００１２】
（第１実施形態）
図１は、本発明の第１実施形態に係る送受信機を用いて構築された送受信システムの一例を模式的に示した図である。
【００１３】
図１に示されるように、当該送受信システムは、複数の送受信機Ａが組み合わされて構成されている。このシステムでは、複数の送受信機Ａが相互に伝送路Ｌを通じて接続されている。当該システムでは、或る送受信機Ａから宛先となる送受信機を指定して、伝送路Ｌを通じてデータを伝送することができる構成とされている。
【００１４】
図２は、第１実施形態に係る送受信機の機能モジュールの一例を示したブロック図である。送受信機Ａは、図２に示されるように、ＣＰＵ（Central Processing Unit）などで構成され、送受信機Ａを統括的に制御する制御回路１００と、送信ブロック１と、受信ブロック２（受信部）とを備えている。
【００１５】
送信ブロック１は、変調器１０、第１取得部１１、セレクタ１２、ＯＦＤＭ（Orthogonal Frequency-Division Multiplexing）変調器１３、フレーミング回路１４、オーバーサンプル回路１５０及びフィルタ１５１を有する波形整形回路１５、デジタルアナログ変換回路（ＤＡＣ）１６、及び、アナログフロントエンド（ＦＥ）回路１７（送信部）を備える。
【００１６】
そして、制御回路１００、セレクタ１２、及びＯＦＤＭ変調器１３によって、第１信号生成部の一例が構成されている。この第１信号生成部は、所定の変調方式（例えば、後述する１６ＱＡＭ）で変調された所定ビット数の複数のデータを表す複数の変調データ信号Ｘ０〜Ｘ１５を受け付ける。以下、変調データ信号Ｘ０〜Ｘ１５の順序を信号順と称し、Ｘｍのｍを信号順を表す信号番号とする。
【００１７】
そして、第１信号生成部は、信号順の各変調データ信号を、互いに周波数の異なる複数のサブキャリアに対して、各サブキャリアの周波数の大きさ順である第１の順に割り当てることによって、第１マルチキャリア変調信号を生成する。第１の順は、例えばサブキャリアの周波数が小さい順（増加していく順）である。
【００１８】
例えば図４（ａ）に示すように、サブキャリアの周波数を横軸のｆ０〜ｆ１５（添え字の数値が大きいほど周波数が大きい）で表すと、信号順の各変調データ信号Ｘ０〜Ｘ１５が、それぞれ周波数ｆ０〜ｆ１５のサブキャリアに割り当てられる。以下、ｆ０〜ｆ１５の添え字の数値をサブキャリア番号と称する。
【００１９】
また、制御回路１００、セレクタ１２、第１取得部１１、及びＯＦＤＭ変調器１３によって、第２信号生成部の一例が構成されている。この第２信号生成部は、複数の変調データ信号を受け付け、信号順の各変調データ信号を、第１の順とは逆の順である第２の順に各サブキャリアに割り当てて第２マルチキャリア変調信号を生成する。第２の順は、例えばサブキャリアの周波数が大きい順（減少していく順）である。例えば図４（ｂ）に示すように、信号順の各変調データ信号Ｘ０〜Ｘ１５が、それぞれ周波数ｆ１５〜ｆ０のサブキャリアに割り当てられる。
【００２０】
なお、第１の順をサブキャリアの周波数が大きい順（減少していく順）とし、第２の順をサブキャリアの周波数が小さい順（増加していく順）としてもよい。
【００２１】
また、受信ブロック２は、アナログフロントエンド（ＦＥ）回路２０、アナログデジタル変換回路（ＡＤＣ）２１、ダウンサンプル回路２２０及びフィルタ２２１を有する波形整形回路２２、ガードインターバル（ＧＩ）除去回路２３、同期回路２４、ＯＦＤＭ復調器２５、セレクタ２６、第２取得部２７、平均化回路２８（平均信号取得部）、等化器２９、及び、復調器３０を備える。
【００２２】
この受信ブロック２は、第１マルチキャリア変調信号及び第２マルチキャリア変調信号を受信する。そして、受信ブロック２は、第１のマルチキャリア変調信号に含まれる各変調データ信号と、第２マルチキャリア変調信号に含まれる各変調データ信号とについて、同じデータ（同じ情報）を表す変調データ信号同士（信号番号が同じ変調データ信号同士）の間の平均を表す平均信号を取得する（図４（ｃ），（ｄ）参照）。
【００２３】
そして、制御回路１００、ＯＦＤＭ復調器２５、及びセレクタ２６によって、第１信号取得部の一例が構成されている。この第１信号取得部は、送信元の送受信機から第１マルチキャリア変調信号及び第２マルチキャリア変調信号が送信されたときに、第１マルチキャリア変調信号の各サブキャリアから、サブキャリアの周波数が小さい順（第１の順）に各変調データ信号を取得する。そうすると、第１信号取得部によって、前記信号順に各変調データ信号が取得され、平均化回路２８へ送信される。
【００２４】
また、制御回路１００、ＯＦＤＭ復調器２５、セレクタ２６、及び第２取得部２７によって、第２信号取得部の一例が構成されている。この第２信号取得部は、送信元の送受信機（例えば、図１に示す送受信機Ａのいずれか）から第１マルチキャリア変調信号及び第２マルチキャリア変調信号が送信されたときに、第２マルチキャリア変調信号に含まれる各変調データ信号を、サブキャリアの周波数が大きい順（第２の順）に取得する。そうすると、前記信号順に各変調データ信号が取得され、平均化回路２８へ送信される。
【００２５】
さらに、受信ブロック２では、平均化回路２８が、第１信号取得部（つまり、ＯＦＤＭ復調器２５）により取得された変調データ信号と、第２信号取得部（つまり、ＯＦＤＭ復調器２５及び第２取得部２７）により取得された変調データ信号との間の平均を表す平均信号を取得する。そうすると、第１及び第２信号取得部は、いずれも前記信号順に各変調データ信号を出力するから、平均化回路２８は、第１及び第２信号取得部から変調データ信号が出力された順に、順次平均化処理を行うことで、同じ信号番号の変調データ信号同士が平均化される。
【００２６】
以下、送受信機Ａの各構成要素の機能を説明する。送信ブロック１において、変調器１０は、データのビット列の入力を受け付けて、予め定められた変調方式（例えば１６ＱＡＭ）で変調することにより、変調後のデータのビット列を表す変調データ信号を得る。
【００２７】
例えば、変調器１０は、１６ＱＡＭ（１６  Ｑｕａｄｒａｔｕｒｅ  Ａｍｐｌｉｔｕｄｅ  Ｍｏｄｕｌａｔｉｏｎ）でデータのビット列を変調する場合には、搬送波の振幅及び位相のそれぞれに４種類の値を持たせる。その結果、振幅と位相の組み合わせにより、１６種類の変調データ信号を得ることができる。
【００２８】
１６ＱＡＭでデータのビット列が変調された場合には、変調データ信号は、実数を表すＩ信号（Ｉｎ−Ｐｈａｓｅ信号）と、虚数を表すＱ信号（Ｑｕａｄｒａｔｕｒｅ信号）とで構成される。
【００２９】
第１取得部１１は、変調器１０から出力される複数の変調データ信号を受け付け、各変調データ信号の受付順にバッファなどのメモリに順次格納する。これにより、変調器１０から変調データ信号が、例えば、変調データ信号Ｘ１、変調データ信号Ｘ２、・・・、変調データ信号Ｘｎの順に出力されていれば、第１取得部１１において、各変調データ信号が、変調データ信号Ｘ１、変調データ信号Ｘ２、・・・、変調データ信号Ｘｎの順に格納される。
【００３０】
第１取得部１１は、変調データ信号を所定の数（例えば、ＯＦＤＭ変調器１３及びＯＦＤＭ復調器２５が用いるサブキャリアの数）だけ格納すると、各変調データ信号を、各変調データ信号の受付順とは逆の順に取り出す。これにより、第１取得部１１において、変調データ信号Ｘ１、変調データ信号Ｘ２、・・・変調データ信号Ｘｎの信号順に格納されていた変調データ信号が、変調データ信号Ｘｎ、変調データ信号Ｘｎ−１、・・・変調データ信号Ｘ１の順に取得される。すなわち第１取得部１１は、受信した順序と逆の順序で変調データ信号を出力する。
【００３１】
セレクタ１２は、接点ａ及びｂを備えており、変調器１０により得られた変調データ信号をＯＦＤＭ変調器１３に入力させる際には接点ｂ閉じ（接点ａ開き）の状態とされており、各変調データ信号を第１取得部１１に入力させる際には接点ａ閉じ（接点ｂ開き）の状態とされる。このセレクタ１２は、制御回路１００から出力される切り替え信号により閉じる接点が接点ａと接点ｂとの間で切り替えられる。
【００３２】
ＯＦＤＭ変調器１３は、各変調データ信号を、互いに周波数が異なる複数のサブキャリアを用いて変調して、各変調データ信号が各サブキャリアに割り当てられたマルチキャリア変調信号を生成する。
【００３３】
このＯＦＤＭ変調器１３は、変調器１０により順次出力される各変調データ信号をサブキャリアの数だけ受け付けて、受け付けた変調データ信号をシリアル／パラレル変換する。そして、ＯＦＤＭ変調器１３は、サブキャリアの数と同じ数のパラレル信号にされた変調データ信号を逆高速フーリエ変換（ＩＦＦＴ；Ｉｎｖｅｒｓｅ  Ｆａｓｔ  Ｆｏｕｒｉｅｒ  Ｔｒａｎｓｆｏｒｍ）する。
【００３４】
これにより、ＯＦＤＭ変調器１３は、周波数領域の各変調データ信号を、各サブキャリアの周波数の小さい順に各サブキャリアに割り当てて、時間領域のマルチキャリア変調信号を生成することができる。
【００３５】
以上に示すＯＦＤＭ変調器１３の処理は、以下の式（１）で表すことができる。
【００３６】
【数１】
2011102119.tif 000003
但し、ｎは時間インデックス、ｋは変調器１０により得られた素数シンボル信号の周波数インデックスをそれぞれ示す。
【００３７】
フレーミング回路１４は、ＯＦＤＭ変調器１３からマルチキャリア変調信号を受け付け、受け付けたマルチキャリア変調信号の後ろ半分をコピーしてガードインターバルとして当該マルチキャリア変調信号の前に付加する。
【００３８】
波形整形回路１５は、マルチキャリア変調信号の波形整形を行う。つまり、波形整形回路１５では、オーバーサンプル回路１５０が、デジタルアナログ変換回路１６によって用いられるサンプリング周波数の少なくとも２倍以上のサンプリング周波数を用いて、マルチキャリア変調信号のサンプリングを行い、所定の間引き処理や補完処理を行う。
【００３９】
また、波形整形回路１５では、フィルタ１５１がローパスフィルタとして設けられており、このフィルタ１５１は、一定の周波数よりも小さな周波数成分のみを通過させて、マルチキャリア変調信号に混入している高周波ノイズを除去する。
【００４０】
デジタルアナログ変換回路１６は、デジタル信号として入力されるマルチキャリア変調信号をアナログ信号の形に変換する。アナログフロントエンド回路１７は、アナログ信号の形とされたマルチキャリア変調信号の波形整形及び増幅を行う。このように、アナログフロントエンド回路１７により波形整形が施されたマルチキャリア変調信号は、伝送路Ｌへ送信される。
【００４１】
また、受信ブロック２において、アナログフロントエンド回路２０は、伝送路Ｌを通じて送信されてきたマルチキャリア変調信号を受信し、当該マルチキャリア変調信号の波形整形及び増幅を行う。アナログデジタル変換回路２１は、アナログ信号の形で入力されたマルチキャリア変調信号をデジタル信号の形に変換する。
【００４２】
波形整形回路２２は、デジタル信号の形に変換されたマルチキャリア変調信号α，βの波形整形を行う。波形整形回路２２のダウンサンプル回路２２０は、アナログデジタル変換回路２１によりオーバーサンプリングされたマルチキャリア変調信号をデシメーションする。フィルタ２２１は、ローパスフィルタで構成されており、伝送途中にマルチキャリア変調信号に混入した高周波ノイズを除去する。ガードインターバル除去回路２３は、マルチキャリア変調信号の先頭に付加されたガードインターバルを除去する。
【００４３】
同期回路２４は、ガードインターバル除去回路２３が、マルチキャリア変調信号の先頭に付加されたガードインターバルを除去するためのタイミング信号を、ガードインターバル除去回路２３に出力する。
【００４４】
ＯＦＤＭ復調器２５は、アナログデジタル変換回路２１によりデジタル信号の形に変換されたマルチキャリア変調信号に含まれる各変調データ信号を取得する。
【００４５】
このＯＦＤＭ復調器２５は、時間領域のマルチキャリア変調信号を高速フーリエ変換（ＦＦＴ；Ｆａｓｔ  Ｆｏｕｒｉｅｒ  Ｔｒａｎｓｆｏｒｍ）して、周波数領域の各変調データ信号をパラレル信号の形で取得する。そして、ＯＦＤＭ復調器２５は、パラレル信号の形で取得した各変調データ信号を、パラレル／シリアル変換してシリアル信号の形に変換する。
【００４６】
これにより、ＯＦＤＭ復調器２５は、マルチキャリア変調信号から、各サブキャリアの周波数の小さい順（第１の順）に、各変調データ信号を取得する。
【００４７】
セレクタ２６は、接点ａ及びｂを備えており、ＯＦＤＭ復調器２５により得られた各変調データ信号を平均化回路２８に入力させる際には接点ｂ閉じ（接点ａ開）の状態とされており、各変調データ信号を第２取得部２７に入力させる際には接点ａ閉じ（接点ｂ開）の状態とされる。このセレクタ２６は、制御回路１００から出力される切り替え信号により閉じる接点が接点ａと接点ｂとの間で切り替えられる。
【００４８】
第２取得部２７は、ＯＦＤＭ復調器２５により取得される複数の変調データ信号を受け付け、各変調データ信号の受付順にバッファなどのメモリに順次格納する。これにより、ＯＦＤＭ復調器２５から変調データ信号が、例えば、変調データ信号Ｘｎ、変調データ信号Ｘｎ−１、・・・、変調データ信号Ｘ１の順に出力されていれば、第２取得部２７において、各変調データ信号が、変調データ信号Ｘｎ、変調データ信号Ｘｎ−１、・・・、変調データ信号Ｘ１の順に格納される。
【００４９】
第２取得部２７は、変調データ信号を所定の数（例えば、ＯＦＤＭ変調器１３及びＯＦＤＭ復調器２５が用いるサブキャリアの数）だけ格納すると、各変調データ信号を、各変調データ信号の受付順とは逆の順に取り出す。これにより、第２取得部２７において、変調データ信号Ｘｎ、変調データ信号Ｘｎ−１、・・・変調データ信号Ｘ１の順に格納されていた変調データ信号が、変調データ信号Ｘ１、変調データ信号Ｘ２、・・・変調データ信号Ｘｎの順に取得される。すなわち第２取得部２７は、受信した順序と逆の順序で変調データ信号を出力する。
【００５０】
等化器２９は、平均化回路２８により得られた平均信号に、予め設定された等化係数で等化処理を行う。復調器３０は、等化処理された平均信号を、変調器１０における変調方式に対応する復調方式で復調する。
【００５１】
このような構成の送受信機Ａは、例えば、以下の基本処理を行う。尚、以下の説明において、初期状態とは、セレクタ１２及びセレクタ２６の双方を接点ｂ閉じにした状態のことを表す。
【００５２】
（送信側となったときの基本処理）
初期状態を保持している送受信機Ａにおいて、送信元の送受信機を指定したデータの伝送指示があったときには、制御回路１００は、変調器１０によりデータを所定のビット数ずつ復調させることによって、各変調データ信号を前記信号順に順次生成する。
【００５３】
初期状態では、セレクタ１２は接点ｂ閉じの状態とされているため、変調器１０により順次生成された変調データ信号は、第１取得部１１に到達するとともに、接点ｂを通じてＯＦＤＭ変調器１３に到達する。
【００５４】
制御回路１００の制御に応じて、ＯＦＤＭ変調器１３は、前記信号順に生成された各変調データを、サブキャリアの周波数の小さい順に各サブキャリアに割り当てることによって、マルチキャリア変調信号（第１マルチキャリア変調信号）Ｓ１を生成し、フレーミング回路１４に出力する。
【００５５】
これとともに、制御回路１００は、変調器１０により順次生成された変調データ信号を、前記信号順に第１取得部１１に順次格納する。そして、第１取得部１１に、ＯＦＤＭ変調器１３及びＯＦＤＭ復調器２５が用いるサブキャリアの数だけ変調データ信号が格納されると、第１取得部１１は、各変調データ信号を、各変調データ信号の受付順とは逆の順（前記信号順の逆）に並び替えて出力する。
【００５６】
制御回路１００は、ＯＦＤＭ変調器１３からのマルチキャリア変調信号Ｓ１の出力が完了すると、セレクタ１２を接点ａ閉じの状態にして、前記信号順と逆の順並び替えられた各変調データ信号を、第１取得部１１から接点ａを通じてＯＦＤＭ変調器１３へ出力させる。
【００５７】
そして、制御回路１００からの制御に応じて、ＯＦＤＭ変調器１３は、第１取得部１１から順次出力された各変調データ信号Ｘ１５〜Ｘ０を、サブキャリアの周波数の順が小さい順（増加していく順）に各サブキャリアに割り当てる。そうすると、各変調データ信号１５〜Ｘ０は、第１取得部１１によって前記信号順と逆の順序に並び替えられているから、図４（ｂ）に示すように各変調データ信号Ｘ１５〜Ｘ０が周波数ｆ０〜ｆ１５に割り当てられて、マルチキャリア変調信号（第２マルチキャリア変調信号）Ｓ２が生成される。
【００５８】
すなわち、前記信号順の各変調データ信号がサブキャリアに、第１の順とは逆の第２の順に割り当てられて、マルチキャリア変調信号（第２マルチキャリア変調信号）Ｓ２が生成される。そしてＯＦＤＭ変調器１３は、マルチキャリア変調信号（第２マルチキャリア変調信号）Ｓ２をフレーミング回路１４に出力する。
【００５９】
以上に示される制御回路１００の処理により、フレーミング回路１４には、マルチキャリア変調信号Ｓ１とマルチキャリア変調信号Ｓ２とが交互に出力される。フレーミング回路１４は、マルチキャリア変調信号Ｓ１が入力されるとそのマルチキャリア変調信号Ｓ１の前にガードインターバルＧを付加し、マルチキャリア変調信号Ｓ２が入力されるとそのマルチキャリア変調信号Ｓ２の前にガードインターバルＧを付加する。
【００６０】
図３は、フレーミング回路１４により生成される信号のフレーム構成の一例を示した図である。この信号Ｓは、図３に示されるように、マルチキャリア変調信号Ｓ１と、マルチキャリア変調信号Ｓ２とを交互に含んでいる。図３に示されるように、各マルチキャリア変調信号Ｓ１、及び、各マルチキャリア変調信号Ｓ２の前にはフレーミング回路１４によりガードインターバルＧが付加されている。
【００６１】
フレーミング回路１４により生成された信号Ｓは、波形整形回路１５により波形整形され、デジタルアナログ変換回路１６によりアナログ信号とされた後、アナログフロントエンド回路１７により波形整形がなされた後、伝送路Ｌへ出力される。
【００６２】
（受信側となったときの基本処理）
初期状態を保持している送受信機Ａにおいて、送信元の送受信機から、信号Ｓを受信したときには、制御回路１００は、受信した信号Ｓをアナログフロントエンド回路２０で波形整形させる。
【００６３】
制御回路１００は、波形整形された信号Ｓを、アナログデジタル変換回路２１によりデジタル信号の形に変換させ、波形整形回路２２により波形整形させた後、ガードインターバル除去回路２３に出力させる。
【００６４】
制御回路１００は、同期回路２４によって、ガードインターバル除去回路２３が信号ＳからガードインターバルＧを除去するためのタイミング信号を出力させる。例えば、制御回路１００は、信号ＳのうちガードインターバルＧに相当する部分がアナログデジタル変換回路２１によりデジタル化された時点で、同期回路２４によりタイミング信号を出力する。
【００６５】
これにより、信号Ｓは、アナログ信号からデジタル信号の形に変換されるとともにガードインターバルＧが除去されながら、順次ＯＦＤＭ復調器２５に入力される。
【００６６】
信号Ｓが順次ＯＦＤＭ復調器２５に入力されると、まず、マルチキャリア変調信号Ｓ１がＯＦＤＭ復調器２５に入力されるので、制御回路１００は、ＯＦＤＭ復調器２５により、マルチキャリア変調信号Ｓ１から、各サブキャリアの周波数が小さい順（第１の順）に、各サブキャリアに割り当てられている各変調データ信号Ｘ０〜Ｘ１５を取得させる（図４（ａ）参照）。
【００６７】
このとき、送受信機Ａはセレクタ２６が接点ｂ閉じの初期状態を保っているため、ＯＦＤＭ復調器２５によりマルチキャリア変調信号Ｓ１から取得された各変調データ信号Ｘ０〜Ｘ１５は、セレクタ２６の接点ｂを通じて平均化回路２８に入力される。
【００６８】
制御回路１００は、平均化回路２８に入力された各変調データ信号を、各変調データ信号の入力順に、バッファなどのメモリに順次格納する。これにより、平均化回路２８には、マルチキャリア変調信号Ｓ１から取得された各変調データ信号Ｘ０〜Ｘ１５が、各変調データ信号の入力順（前記信号順）に格納される（図４（ｃ）におけるＸ０〜Ｘ１５参照）。
【００６９】
その後、制御回路１００は、セレクタ２６を接点ａ閉じの状態にして、ＯＦＤＭ復調器２５によるマルチキャリア変調信号Ｓ２からの変調データ信号の取得に対して待機する。
【００７０】
制御回路１００は、ＯＦＤＭ復調器２５にマルチキャリア変調信号Ｓ２が入力されると、ＯＦＤＭ復調器２５により、マルチキャリア変調信号Ｓ２から、各サブキャリアの周波数が小さい順（第１の順）に変調データ信号Ｘ０〜Ｘ１５を取得させる。そうすると、マルチキャリア変調信号Ｓ２は、前記信号順の変調データ信号Ｘ０〜Ｘ１５が、各サブキャリアの周波数が大きい順（第２の順）に各サブキャリアに割り当てられているから、変調データ信号Ｘ０〜Ｘ１５は、ＯＦＤＭ復調器２５によって、前記信号順とは逆の順序で取得されることになる。（図４（ｂ）参照）。
【００７１】
このとき、セレクタ２６は接点ａ閉じの状態を保っているため、ＯＦＤＭ復調器２５によりマルチキャリア変調信号Ｓ２から取得された各変調データ信号は、セレクタ２６の接点ａを通じて第２取得部２７に入力される。
【００７２】
第２取得部２７では、マルチキャリア変調信号Ｓ２から取得された各変調データ信号が、各変調データ信号の入力順とは逆の順、すなわち前記信号順に並び替えられる。制御回路１００は、第２取得部２７による並び替えが終了すると、並び替えられた各変調データ信号を第２取得部２７から平均化回路２８へ順次出力させる。
【００７３】
平均化回路２８は、第２取得部２７から出力された各変調データ信号を、各変調データ信号の入力順に、バッファなどのメモリに順次格納する。これにより、平均化回路２８には、マルチキャリア変調信号Ｓ２から取得され、第２取得部２７により順番が並び替えられた各変調データ信号変調データ信号Ｘ０’〜Ｘ１５’が順次格納される（図４（ｃ）におけるＸ０’〜Ｘ１５’参照）。
【００７４】
平均化回路２８は、第１マルチキャリア変調信号Ｓ１から取得された各変調データ信号の格納と、第２マルチキャリア変調信号Ｓ２から取得され、第２取得部２７により順番が並び替えられた各変調データ信号の格納とが終了すると、以下の処理を行う。
【００７５】
平均化回路２８は、第１マルチキャリア変調信号Ｓ１から取得されて格納された各変調データ信号Ｘ０〜Ｘ１５と、第２マルチキャリア変調信号Ｓ２から取得され、第２取得部２７により並び替えられて格納された各変調データ信号Ｘ０’〜Ｘ１５’とを、同じ入力順の変調データ信号同士（信号番号が同じ変調データ信号同士）平均することで、同じデータを表す変調データ信号同士が平均された平均信号を取得する（図４（ｄ）参照）。
【００７６】
以上に示される送受信機Ａの基本処理を、図４を用いて更に説明する。図４（ａ），（ｂ）は、各変調データ信号が割りあてられるサブキャリアの周波数と、各サブキャリアの特性との関係を示した図である。ここにおいて、各サブキャリアの特性として、ＳＮ比が例示されている。図４（ｃ），（ｄ）は、各変調データ信号の信号番号と、各変調データ信号のＳＮ比との関係を示した図である。
【００７７】
尚、図４において、ｆ０〜ｆ１５は、サブキャリア番号０〜１５のサブキャリア０〜１５の周波数を示している。図４は、サブキャリアの周波数がｆ０からｆ１５と変化するにつれて、各サブキャリアの周波数が順次大きくなることを示している。
【００７８】
さらに、図４において、Ｘ０〜Ｘ１５は、各変調データ信号を識別するための変調データ信号識別情報である。図４は、変調データ信号識別情報がＸ０からＸ１５と変化するにつれて、各変調データ信号が後に生成された変調データであることを示している。
【００７９】
ＯＦＤＭ変調器１３により得られたマルチキャリア変調信号Ｓ１が伝送路Ｌに出力されて受信側に到達したときには、受信側において、例えば、図４（ａ）に示される周波数スペクトラムが得られる。
【００８０】
この周波数スペクトラムでは、サブキャリア番号が大きくなるにつれて、つまり、サブキャリアの周波数が大きくなるほどＳＮ比が小さくなることが判る。したがって、サブキャリアの周波数が大きくなるほど、各サブキャリアに割り当てられた変調データ信号は、伝送路Ｌを通じた伝送途中において減衰し易いことが判る。
【００８１】
マルチキャリア変調信号Ｓ１では、先述されたように、前記信号順の各変調データ信号を各サブキャリアの周波数が小さい順（第１の順）に各サブキャリアに割り当てている。すなわち、マルチキャリア変調信号Ｓ１では、図４（ａ）に示すように、変調データ信号Ｘ０〜Ｘ１５が、サブキャリア０〜１５（周波数ｆ０〜ｆ１５）に割り当てられている。
【００８２】
図４（ａ）から判るように、サブキャリアの周波数が大きくなるほど、サブキャリアに割り当てられた変調データ信号が減衰し易いため、変調データ信号が生成される順が新しくなるほど、伝送途中において減衰し易い。
【００８３】
一方、ＯＦＤＭ変調器１３により得られたマルチキャリア変調信号Ｓ２が伝送路Ｌに出力されて受信側に到達したときには、受信側において、例えば、図４（ｂ）に示される周波数スペクトラムが得られる。
【００８４】
この周波数スペクトラムでは、伝送路Ｌの特性が図４（ａ）の場合と同じであるため、図４（ａ）と同じように、サブキャリアの周波数が大きくなるほどＳＮ比が小さくなることが判る。したがって、サブキャリアの周波数が大きくなるほど、各サブキャリアに割り当てられた変調データ信号は、伝送路Ｌを通じた伝送途中において減衰し易いことが判る。
【００８５】
マルチキャリア変調信号Ｓ２では、先述されたように、各変調データ信号を各サブキャリアの周波数が大きい順に各サブキャリアに割り当てられている。すなわち、マルチキャリア変調信号Ｓ２では、図４（ｂ）に示すように、変調データ信号Ｘ０〜Ｘ１５が、サブキャリア１５〜０（周波数ｆ１５〜ｆ０）に割り当てられている。
【００８６】
図４（ｂ）から判るように、サブキャリアの周波数が小さくなるほど、サブキャリアに割り当てられた変調データ信号が減衰しにくいため、変調データ信号が生成される順が新しくなるほど、伝送途中において減衰しにくい。
【００８７】
以上のように、マルチキャリア変調信号Ｓ１が受信側に到達した時点において、図４（ａ）に示される周波数スペクトラムが得られる一方で、マルチキャリア変調信号Ｓ２が受信側に到達した時点において、図４（ｂ）に示される周波数スペクトラムが得られる。
【００８８】
このように、マルチキャリア変調信号Ｓ２において、マルチキャリア変調信号Ｓ１とは逆の順に各サブキャリアに割り当てられた各変調データは、第２取得部２７により、マルチキャリア変調信号Ｓ１と同じ順、すなわち前記信号順に取り出される。
【００８９】
その結果、平均化回路２８に、マルチキャリア変調信号Ｓ１から取得された変調データ信号Ｘ０〜Ｘ１５、及び、マルチキャリア変調信号Ｓ２から取得された変調データ信号Ｘ０’〜Ｘ１５’が格納されると、図４（ｃ）に示す周波数スペクトラムが得られる。
【００９０】
図４（ｃ）において、平均化回路２８への入力順が後になるほど、信号番号が大きくなっている。
【００９１】
平均化回路２８は、変調データ信号Ｘ０〜Ｘ１５と、変調データ信号Ｘ０’〜Ｘ１５’とを、第１及び第２信号取得部から出力された順に平均することで、同じ信号番号の変調データ信号同士を平均化して平均信号を生成する。
【００９２】
すなわち、図４（ｃ）を用いて説明すると、平均化回路２８は、変調データ信号Ｘ０の信号レベルと変調データ信号Ｘ０’の信号レベルとの間の平均レベルを平均信号として取得する。平均化回路２８は、同様の処理を、変調データ信号Ｘ１〜Ｘ１５、及び、変調データ信号Ｘ１’〜Ｘ１５’についても行う。
【００９３】
これにより、伝送路の特性やインパルス的なノイズの発生などにより、或るサブキャリアのＳＮ比が、変調データ信号を１６ＱＡＭで復調することができる閾値（図４の波線で示すＳＮ比）を下回る程小さくなっても、ＳＮ比が小さくなったサブキャリアに割りあてられた変調データ信号の信号レベルが、ＳＮ比がさほど小さくなっていないサブキャリアに割りあてられた変調データ信号により、閾値を上回る程度にまで補完される（図４（ｄ）参照）。
【００９４】
また、送受信機Ａによれば、以下に示す利点がある。図５は、送受信機Ａから各変調データ信号を送信する際にノッチ帯域が生じたときにおける効果を説明するための図である。
【００９５】
図５（ａ）に示されるように、マルチキャリア変調信号Ｓ１が伝送される途中において、周波数がｆ１〜ｆ７のサブキャリア１〜７においてノッチ帯域が生じたと仮定する。
【００９６】
マルチキャリア変調信号Ｓ２では、各変調データ信号がマルチキャリア変調信号Ｓ１とは逆の順に各サブキャリアに割りあてられる。そのため、マルチキャリア変調信号Ｓ１ではノッチ帯域になっている周波数ｆ１〜ｆ７のサブキャリアに割り当てられる変調データ信号Ｘ１〜Ｘ７が、マルチキャリア変調信号Ｓ２では、図５（ｂ）に示すように、ノッチ帯域ではない周波数ｆ８〜ｆ１４のサブキャリア８〜１４に割り当てられる。
【００９７】
マルチキャリア変調信号Ｓ２に割り当てられた各変調データ信号は、第２取得部２７により、当該第２取得部２７が各変調データを受け付けた順とは逆の順に並び替えられた状態で平均化回路２８に格納される。また、マルチキャリア変調信号Ｓ１に割り当てられた各変調データ信号も平均化回路２８に格納される。
【００９８】
そのため、図５（ｃ）に示すように、平均化回路２８では、マルチキャリア変調信号Ｓ１のノッチ帯域で伝送された変調データ信号Ｘ１〜Ｘ７、及び、マルチキャリア変調信号Ｓ２のノッチ帯域ではない帯域で伝送された変調データ信号Ｘ１’〜Ｘ７’が少なくとも格納された状態となる。
【００９９】
そして、平均化回路２８により、ノッチ帯域で伝送された各変調データ信号と、ノッチ帯域はない帯域で伝送された各変調データ信号との間の平均信号が取得される。
【０１００】
これにより、マルチキャリア変調信号Ｓ１が伝送路Ｌを通じて伝送されている途中でノッチ帯域が生じても、ノッチ帯域に存在する各変調データ信号の信号レベルを、各変調データ信号を１６ＱＡＭで復調することができる閾値（図５の破線で示すＳＮ比）を下回らない程度に補完することが可能となる。
【０１０１】
（第２実施形態）
次に、本発明の第２実施形態に係る送受信機について、図６及び図７を用いて説明する。尚、図６に示す送受信機Ａ１は、送信ブロック１Ａが、変調器１０の後段に変調器１０と隣接する拡散器（拡散処理部）１８を備えるとともに、拡散符号を生成して拡散器１８に出力する拡散符号生成部１９を備える点で、図２に示す送受信機Ａと異なる。
【０１０２】
また、図６に示す送受信機Ａ１は、受信ブロック２Ａが、平均化回路２８の後段に平均化回路２８と隣接する逆拡散器（逆拡散処理部）３１を備えるとともに、拡散符号を生成して逆拡散器３１に出力する拡散符号生成部３２を備える点で、図２に示す送受信機Ａと異なる。
【０１０３】
その他の構成は図２に示す送受信機Ａと同様であるため説明及び図示を省略し、以下、本実施形態の特徴的な点について説明する。
【０１０４】
図６は、本発明の第２実施形態に係る送受信機の機能モジュールの一例を示したブロック図である。拡散器１８は、ＯＦＤＭ変調器１３及びＯＦＤＭ復調器２５が用いるサブキャリアの数に等しい桁数を有する拡散符号を、各変調データ信号に乗じることにより拡散処理を行う。そして、拡散器１８は、拡散処理された変調データ信号（以下、拡散変調データ信号という）をサブキャリアの数だけ取得する。
【０１０５】
拡散符号生成部１９は、サブキャリアの数と同じ桁数の拡散符号として、例えば、直交符号（Walsh code）を生成する。拡散符号生成部１９は、ＯＦＤＭ変調器１３及びＯＦＤＭ復調器２５が用いるサブキャリアの数が１６本である場合には、１６桁の直交符号、例えば、［ｃ０、ｃ１、ｃ２、・・・、ｃ１５］で表される直交符号を生成する。ここにおいて、ｃ０、ｃ１、ｃ２、・・・、ｃ１５の各々の値は、ユーザの違いに応じて適宜設定される値である。
【０１０６】
拡散符号生成部１９はこの種の直交符号を拡散器１８に出力する。拡散器１８は、拡散符号生成部１９から出力された直交符号を受け付け、変調器１０から順次出力される各変調データ信号に乗じる。
【０１０７】
これにより、拡散器１８は、拡散変調データ信号をサブキャリアの数（例えば１６個）だけ取得する。拡散器１８は、変調データ信号がＸ０で表される場合には、拡散変調データ信号として、拡散変調データ信号ｃ０Ｘ０、拡散変調データ信号ｃ１Ｘ０、拡散変調データ信号ｃ２Ｘ０・・・、拡散変調データ信号ｃ１５Ｘ０を得る。以下、拡散変調データ信号ｃ０Ｘ０から拡散変調データ信号ｃ１５Ｘ０に至るこの順を、図６に示す送受信機Ａ１における信号順と称する。
【０１０８】
拡散器１８は、これらの拡散変調データ信号を、拡散変調データ信号ｃ０Ｘ０、拡散変調データ信号ｃ１Ｘ０、拡散変調データ信号ｃ２Ｘ０・・・、拡散変調データ信号ｃ１５Ｘ０の順、すなわち信号順に、第１取得部１１及びセレクタ１２へ出力する。
【０１０９】
これにより、送信ブロック１Ａからは、前記信号順の拡散変調データ信号ｃ０Ｘ０〜ｃ１５Ｘ０が、各サブキャリアの周波数が小さい順（第１の順）に各サブキャリアに割り当てられた第１マルチキャリア変調信号Ｓ１、及び、前記信号順の拡散変調データ信号ｃ０Ｘ０〜ｃ１５Ｘ０が、各サブキャリアの周波数が大きい順（第２の順）すなわち第１マルチキャリア変調信号Ｓ１とは逆の順に各サブキャリアに割り当てられた第２マルチキャリア変調信号Ｓ２が交互に送信されることになる。
【０１１０】
一方で、受信ブロック２Ａが、これらのマルチキャリア変調信号Ｓ１及びマルチキャリア変調信号Ｓ２を受信したときには、まず先に、マルチキャリア変調信号Ｓ１がＯＦＤＭ復調器２５に入力され、次に、マルチキャリア変調信号Ｓ２がＯＦＤＭ復調器２５に入力される。
【０１１１】
これにより、受信ブロック２Ａにおいて、各サブキャリアの周波数が小さい順に各サブキャリアに割り当てられた各拡散変調データ信号ｃ０Ｘ０〜ｃ１５Ｘ０がマルチキャリア変調信号Ｓ１として取得され（図７（ａ）参照）、次に、受信ブロック２Ａにおいて、各サブキャリアの周波数が大きい順に各サブキャリアに割り当てられた各拡散変調データ信号ｃ０Ｘ０〜ｃ１５Ｘ０がマルチキャリア変調信号Ｓ２として取得される（図７（ａ）参照）。
【０１１２】
なお、図７においては、拡散変調データ信号ｃ０Ｘ０〜ｃ１５Ｘ０を簡略化して、Ｃ０〜Ｃ１５と表記している。以下、拡散変調データ信号ｃ０Ｘ０〜ｃ１５Ｘ０のことを拡散変調データ信号Ｃ０〜Ｃ１５と表記する。そして、符号Ｃに添えられた数字が、各拡散変調データ信号の信号順を表す信号番号を示している。
【０１１３】
そして、受信ブロック２Ａにおいて、マルチキャリア変調信号Ｓ１から取得された各拡散変調データ信号Ｃ０〜Ｃ１５が、ＯＦＤＭ復調器２５において取得された順（信号順）に順次平均化回路２８に格納され、マルチキャリア変調信号Ｓ２から取得された各拡散変調データ信号Ｃ０’〜Ｃ１５’が、ＯＦＤＭ復調器２５において取得された順とは逆の順に並び替えられて、順次平均化回路２８に格納される（図７（ｃ）参照）。
【０１１４】
そして、平均化回路２８により、マルチキャリア変調信号Ｓ１に含まれる拡散変調データ信号と、第２マルチキャリア変調信号Ｓ２に含まれ、第１マルチキャリア変調信号Ｓ１に含まれる拡散変調データ信号と同じ内容を表す拡散変調データ信号との間の平均を表す平均信号が取得される（（図７（ｄ）参照）。
【０１１５】
拡散符号生成部３２は、送信ブロック１内の拡散符号生成部１９と同じ拡散符号を生成して逆拡散器３１に出力する。逆拡散器３１は、平均化回路２８により取得された平均信号を、拡散符号生成部３２から出力された拡散符号で除して、信号レベルが平均化された変調データ信号Ｘ０を取得する。
【０１１６】
送受信機Ａ１は、以上の処理を、変調データ信号Ｘ１、変調データ信号Ｘ２・・・、変調データ信号Ｘ１５についても順次行う。これにより、特定のユーザに対する変調データ信号Ｘ０〜Ｘ１５で表されるデータの伝送を、高品質で行うことができる。
【０１１７】
図７は、第２の実施形態に係る送受信機Ａ１の基本処理を説明するための図である。図７（ａ），（ｂ）は、拡散変調データ信号Ｃ０〜Ｃ１５が割りあてられるサブキャリアの周波数と、各サブキャリアの特性との関係（ＳＮ比）を示した図である。図７（ｃ），（ｄ）は、各拡散変調データ信号の信号番号と、各拡散変調データ信号のＳＮ比との関係を示した図である。図７は、拡散変調データ信号の信号番号が大きくなるほど、拡散変調データ信号が後に生成された変調データであることを示している。
【０１１８】
ＯＦＤＭ変調器１３により得られたマルチキャリア変調信号Ｓ１が伝送路Ｌに出力されて受信側に到達したときには、受信側において、例えば、図７（ａ）に示される周波数スペクトラムが得られる。
【０１１９】
この周波数スペクトラムでは、サブキャリアの周波数が大きくなるほどＳＮ比が小さくなることが判る。したがって、サブキャリアの周波数が大きくなるほど、各サブキャリアに割り当てられた拡散変調データ信号は、伝送路Ｌを通じた伝送途中において減衰し易いことが判る。
【０１２０】
マルチキャリア変調信号Ｓ１では、先述されたように、各拡散変調データ信号を各サブキャリアの周波数が小さい順（増加していく順）に各サブキャリアに割り当てている。すなわち、マルチキャリア変調信号Ｓ１では、拡散変調データ信号Ｃ０〜Ｃ１５が、図７（ａ）に示すように、周波数ｆ０〜ｆ１５のサブキャリア０〜１５に割り当てられている。
【０１２１】
図７（ａ）から判るように、サブキャリアの周波数が大きくなるほど、サブキャリアに割り当てられた拡散変調データ信号が減衰し易いため、拡散変調データ信号が生成される順が新しくなるほど、伝送途中において減衰し易い。
【０１２２】
一方、ＯＦＤＭ変調器１３により得られたマルチキャリア変調信号Ｓ２が伝送路Ｌに出力されて受信側に到達したときには、受信側において、例えば、図７（ｂ）に示される周波数スペクトラムが得られる。
【０１２３】
この周波数スペクトラムでは、伝送路Ｌの特性が同じであるため、図７（ａ）と同じように、サブキャリアの周波数が大きくなるほどＳＮ比が小さくなることが判る。したがって、サブキャリアの周波数が大きくなるほど、各サブキャリアに割り当てられた拡散変調データ信号は、伝送路Ｌを通じた伝送途中において減衰し易いことが判る。
【０１２４】
マルチキャリア変調信号Ｓ２では、先述されたように、前記信号順の各拡散変調データ信号が各サブキャリアの周波数が大きい順（減少していく順）に各サブキャリアに割り当てられている。すなわち、マルチキャリア変調信号Ｓ２では、拡散変調データ信号Ｃ０〜Ｃ１５が、図７（ｂ）に示すように、周波数ｆ１５〜ｆ０のサブキャリア１５〜０に割り当てられている。
【０１２５】
図７（ｂ）から判るように、サブキャリアの周波数が小さくなるほど、サブキャリアに割り当てられた拡散変調データ信号が減衰しにくいため、拡散変調データ信号が生成される順が新しくなるほど、伝送途中において減衰しにくい。
【０１２６】
以上のように、マルチキャリア変調信号Ｓ１が受信側に到達した時点において、図７（ａ）に示される周波数スペクトラムが得られる一方で、マルチキャリア変調信号Ｓ２が受信側に到達した時点において、図７（ｂ）に示される周波数スペクトラムが得られる。
【０１２７】
このように、マルチキャリア変調信号Ｓ２によって、マルチキャリア変調信号Ｓ１とは逆の順に各サブキャリアに割り当てられた各拡散変調データ信号は、第２取得部２７により信号順に並び替えられて、平均化回路２８へ出力される。
【０１２８】
その結果、平均化回路２８に、マルチキャリア変調信号Ｓ１から取得された各拡散変調データ信号、及び、マルチキャリア変調信号Ｓ２から取得された各拡散変調データ信号が格納されると、図７（ｃ）に示す周波数スペクトラムが得られる。
【０１２９】
尚、第２取得部２７により並び替えられた各拡散変調データ信号として、図７（ｃ）では、拡散変調データ信号Ｃ０’〜Ｃ１５’が各々例示されている。また、図７（ｃ）において、拡散変調データ信号の信号番号は、平均化回路２８への入力順が後になるほど大きな数値になっている。
【０１３０】
平均化回路２８は、第１マルチキャリア変調信号Ｓ１から取得されて格納された拡散変調データ信号Ｃ０〜Ｃ１５と、第２マルチキャリア変調信号Ｓ２から取得され、第２取得部２７により並び替えられて格納された拡散変調データ信号Ｃ０’〜Ｃ１５’とを、同じ入力順の拡散変調データ信号同士（信号番号が同じ拡散変調データ信号同士）平均することで、平均信号を取得する（図７（ｄ）参照）。
【０１３１】
すなわち、図７（ｃ）、（ｄ）を用いて説明すると、平均化回路２８は、拡散変調データ信号Ｃ０の信号レベルと、拡散変調データ信号Ｃ０と同じ入力順の拡散変調データ信号Ｃ０’の信号レベルとの間の平均レベルを平均信号として取得する。平均化回路２８は、同様の処理を、拡散変調データ信号Ｃ１〜Ｃ１５、及び、拡散変調データ信号Ｃ１’〜Ｃ１５’についても行う。
【０１３２】
これにより、伝送路の特性やインパルス的なノイズの発生などにより、或るサブキャリアのＳＮ比が、拡散変調データ信号を逆拡散したときに得られる変調データ信号を１６ＱＡＭで復調することができる閾値（図７の破線で示すＳＮ比）を下回る程小さくなっても、ＳＮ比が小さな拡散変調データ信号の信号レベルは、ＳＮ比がさほど小さくなっていないサブキャリアに割りあてられた拡散変調データ信号により、閾値を上回る程度にまで補完される（図７（ｄ）参照）。
【０１３３】
本発明の一局面に従う送受信機は、所定の変調方式で変調され、所定の順番が信号順として付与された複数の変調データ信号を、互いに周波数の異なる複数のサブキャリアに対して、前記各サブキャリアの周波数の大きさ順である第１の順に割り当てることによって第１マルチキャリア変調信号を生成する第１信号生成部と、前記複数の変調データ信号を前記第１の順とは逆の順である第２の順に前記各サブキャリアに割り当てることによって第２マルチキャリア変調信号を生成する第２信号生成部と、前記第１マルチキャリア変調信号及び前記第２マルチキャリア変調信号を送信する送信部と、前記第１マルチキャリア変調信号及び前記第２マルチキャリア変調信号を受信して、前記第１のマルチキャリア変調信号に含まれる各変調データ信号と、前記第２マルチキャリア変調信号に含まれる各変調データ信号との間で、前記信号順における順番が等しい変調データ信号同士の平均を表す平均信号を取得する受信部とを備える。
【０１３４】
この構成によれば、送信側となった送受信機から、各変調データ信号が各サブキャリアの周波数の大きさ順である第１の順に各サブキャリアに割り当てられた第１マルチキャリア変調信号と、各変調データ信号が第１の順とは逆の順である第２の順に各サブキャリアに割り当てられた第２マルチキャリア変調信号とが、受信側の送受信機に送信される。
【０１３５】
一方で、受信側となった送受信機は、送信側の送受信機から第１マルチキャリア変調信号を受信したときに、第１のマルチキャリア変調信号に含まれる変調データ信号と、第２マルチキャリア変調信号に含まれる各変調データ信号との間で、信号順における順番が等しい変調データ信号同士を平均して平均信号を生成する。信号順における順番が等しい変調データ信号同士は、互いに内容が等しい（サブキャリアで変調される前に二つの変調データ信号が表していた情報が等しい）。
【０１３６】
これにより、或る周波数のサブキャリアに割り当てられて受信側の送受信機に到来した変調データ信号と、当該変調データ信号と同じ内容ではあるが別の周波数のサブキャリアに割り当てられて受信側の送受信機に到来した変調データ信号との間の平均信号が取得される。
【０１３７】
そのため、送受信機同士を接続する伝送路の特性により、或る周波数のサブキャリアに割り当てられた変調データ信号のＳＮ比が小さな場合でも、その変調データ信号のレベルが、その変調データ信号と同じ内容の変調データ信号ではあるが他の周波数のサブキャリアに割り当てられた変調データ信号のレベルにより補完される。
【０１３８】
これにより、特定の周波数の搬送波においてＳＮ比が小さくなっても、変調後のデータを伝送する本来の機能を阻害することなく、高品質なデータ伝送を実現することが可能となる。
【０１３９】
また、前記受信部は、前記送信部から前記第１マルチキャリア変調信号及び前記第２マルチキャリア変調信号が送信されたときに、前記第１マルチキャリア変調信号から、前記第１の順に前記各変調データ信号を取得することにより、前記信号順にされた前記各変調データ信号を取得する第１信号取得部と、前記送信部から前記第１マルチキャリア変調信号及び前記第２マルチキャリア変調信号が送信されたときに、前記第２マルチキャリア変調信号から、前記第２の順に前記各変調データ信号を取得することにより、前記信号順にされた前記各変調データ信号を取得する第２信号取得部と、前記第１信号取得部により取得された各変調データ信号と、前記第２信号取得部により取得された各変調データ信号とについて、前記信号順における順番が等しい変調データ信号同士を平均することにより、前記各変調データ信号についての平均信号を取得する平均信号取得部と、を備えることが好ましい。
【０１４０】
この構成によれば、送信部から第１マルチキャリア変調信号及び第２マルチキャリア変調信号が送信されてきたときには、第１信号取得部が第１マルチキャリア変調信号から第１の順に各変調データ信号を取得する。これとともに、第２信号取得部が第２マルチキャリア変調信号に含まれる各変調データ信号を、第１の順とは逆の第２の順に取得する。
【０１４１】
そして、平均信号取得部が、第１信号取得部により取得された各変調データ信号と、第２信号取得部により取得された各変調データ信号とについて、第１信号取得部により取得された順と第２信号取得部により取得した順とが等しい変調データ信号同士を平均することにより、各変調データ信号についての平均信号を取得する。
【０１４２】
これにより、或る周波数のサブキャリアに割り当てられて受信側の送受信機に到来した変調データ信号と、当該変調データ信号と同じ内容ではあるが別の周波数のサブキャリアに割り当てられて受信側の送受信機に到来した変調データ信号との間の平均信号を取得する構成を具現化することができる。
【０１４３】
また、前記各変調データ信号を順次受け付け、受け付けた前記各変調データ信号を前記第１の順に前記各サブキャリアに割り当てるＯＦＤＭ変調器と、前記第１マルチキャリア変調信号又は前記第２マルチキャリア変調信号の入力を受け付けて、受け付けたマルチキャリア変調信号から、前記第１の順に前記各変調データ信号を取得するＯＦＤＭ復調器とをさらに備え、前記第１信号生成部は、前記各変調データ信号を前記信号順に前記ＯＦＤＭ変調器へ出力することによって、前記ＯＦＤＭ変調器により前記第１マルチキャリア変調信号を生成させ、前記第２信号生成部は、前記各変調データ信号を前記信号順と逆の順に前記ＯＦＤＭ変調器へ出力することによって、前記ＯＦＤＭ変調器により前記第２マルチキャリア変調信号を生成させ、前記第１信号取得部は、前記ＯＦＤＭ復調器によって前記第１マルチキャリア変調信号の入力が受け付けられたとき、前記ＯＦＤＭ復調器によって取得された前記各変調データ信号を前記信号順にされた各変調データ信号として取得し、前記第２信号取得部は、前記ＯＦＤＭ復調器によって前記第２マルチキャリア変調信号の入力が受け付けられたとき、前記ＯＦＤＭ復調器によって取得された前記各変調データ信号の順序を逆転させて、前記信号順にされた各変調データ信号として取得することが好ましい。
【０１４４】
この構成によれば、第１信号生成部と第２信号生成部とで、一つのＯＦＤＭ変調器を共用して利用することができる。また、第１信号取得部と第２信号取得部とで、一つのＯＦＤＭ復調器を共用して利用することができる。従って、送受信機の回路を簡素化することが容易となる。
【０１４５】
また、前記送信部は、前記第１マルチキャリア変調信号と前記第２マルチキャリア変調信号とを交互に含む信号を送信することが好ましい。
【０１４６】
この構成によれば、送信部は、第１マルチキャリア変調信号と第２マルチキャリア変調信号とを交互に含む信号を送信するため、当該信号を受信した受信部は、当該信号から、第１マルチキャリア変調信号及び第２マルチキャリア変調信号を容易に取得することができる。
【０１４７】
また、前記第１信号生成部及び前記第２信号生成部の前段に設けられ、前記各変調データ信号に、複数桁の拡散符号を乗算する拡散処理を施すことによって前記各変調データ信号が拡散変調された信号である複数の拡散変調データ信号を生成し、前記第１信号生成部及び前記第２信号生成部によって、前記各拡散変調データ信号を前記各変調データ信号の代わりに用いさせることによって、前記第１マルチキャリア変調信号及び前記第２マルチキャリア変調信号を生成させる拡散処理部をさらに備えることが好ましい。
【０１４８】
この構成によれば、拡散処理部は、各変調データ信号に、複数桁の拡散符号を乗算する拡散処理を施して、拡散処理された各変調データ信号である複数の拡散変調データ信号を取得し、各拡散変調データ信号に基づき、第１信号生成部及び第２信号生成部によって、第１マルチキャリア変調信号及び前記第２マルチキャリア変調信号を生成させることができる。
【０１４９】
これにより、各変調データ信号に、複数桁の拡散符号を乗算する拡散処理を施すことにより取得した拡散変調データ信号の複数を用いたマルチキャリア通信、いわゆるマルチキャリアＣＤＭＡ（Code Division Multiple Access）通信を行うことができる。
【０１５０】
そのため、伝送路中において、相互に相手先が異なるマルチキャリア変調信号が混在していても、受信側の送受信機では、目的のマルチキャリア変調信号に対応する拡散符号を用いて当該マルチキャリア変調信号から各変調データ信号を適切に取得することができるため、高品質なデータ伝送を実現することができる。
【０１５１】
また、前記受信部により取得された平均信号に、前記拡散符号を除する逆拡散処理を施して、前記平均信号から、信号レベルが平均化された各変調データ信号を取得する逆拡散処理部をさらに備えることが好ましい。
【０１５２】
この構成によれば、受信部により取得された平均信号に拡散符号を除した逆拡散処理を施して、平均信号から、信号レベルが平均化された各変調データ信号を取得する。
【０１５３】
これにより、マルチキャリアＣＤＭＡ通信を行う際に、特定のサブキャリアで減衰が生じていても、減衰が生じたサブキャリアに割り当てられた変調データ信号の信号レベルと、減衰が生じていないサブキャリアに割り当てられ、減衰が生じたサブキャリアに割り当てられた変調データ信号と同じ内容の変調データ信号の信号レベルとの間の平均が取得される。
【０１５４】
したがって、マルチキャリアＣＤＭＡ通信を行うに際し、特定の周波数のサブキャリアのＳＮ比が小さくなっても、高品質なデータ伝送を実現することができる。
【０１５５】
上述したように、特定の周波数の搬送波においてＳＮ比が小さくなっても、変調後のデータを伝送する本来の機能を阻害することなく、高品質なデータ伝送を実現できる送受信機を低コストで提供することができる。
【０１５６】
この出願は、２０１０年２月１９日に出願された日本国特許出願特願２０１０−０３４９６８を基礎とするものであり、その内容は、本願に含まれるものである。
【０１５７】
なお、発明を実施するための形態の項においてなされた具体的な実施態様又は実施例は、あくまでも、本発明の技術内容を明らかにするものであって、そのような具体例にのみ限定して狭義に解釈されるべきものではなく、本発明の精神と次に記載する特許請求事項との範囲内で、種々変更して実施することができるものである。
【図１】
2011102119.tif 000004
【図２】
2011102119.tif 000005
【図３】
2011102119.tif 000006
【図４】
2011102119.tif 000007
【図５】
2011102119.tif 000008
【図６】
2011102119.tif 000009
【図７】
2011102119.tif 000010
【国際調査報告】
2011102119.tif 000011
2011102119.tif 000012
2011102119.tif 000013
2011102119.tif 000014